(57)【特許請求の範囲】
【請求項１】
投稿文とその投稿者のアカウントとを公開するブログサイトサーバと、加入者識別子を有する端末からブログサイトサーバへアクセスした多数のＵＲＬ(Uniform Resource Locator)を収集する通信事業設備装置とを有するシステムにおける投稿者識別方法であって、
前記システムは、前記加入者識別子と前記アカウントとを関連付ける識別サーバを更に有し、
前記識別サーバが、
前記加入者識別子に対応付けられたＵＲＬを含むアクセス履歴情報を、前記通信事業設備装置から収集する第１のステップと、
当該加入者識別子に対して、前記アクセス履歴情報の中で、画像ファイル識別子を含む複数のＵＲＬを抽出する第２のステップと、
前記画像ファイル識別子を含む複数のＵＲＬの中で、出現回数が最も多いＵＲＬを選択し、そのＵＲＬに含まれる画像ファイル識別子を抽出する第３のステップと、
前記ブログサイトサーバから、前記画像ファイル識別子に対応する画像を含むページを検索し、そのページのアカウントを取得する第４のステップと、
抽出された前記アカウントと、そのＵＲＬへアクセスした当該端末の加入者識別子とを関連付ける第５のステップと
を有することを特徴とする投稿者識別方法。
【請求項２】
前記画像ファイル識別子は、前記ブログサイトサーバのページにおける各ユーザを特定するアイコン画像に付与されたものであることを特徴とする請求項１に記載の投稿者識別方法。
【請求項３】
前記ブログサイトサーバは、twitter（登録商標）のようなミニブログサイトサーバ、又は、ＳＮＳ(Social Networking Service)サーバであることを特徴とする請求項１又は２に記載の投稿者識別方法。
【請求項４】
前記識別サーバが、
前記ブログサイトサーバから前記アカウントに基づく投稿文を収集する第６のステップと、
収集された前記投稿文は、前記アカウントに関連付けられた当該加入者識別子に基づくユーザによって投稿されたものであると関連付ける第７のステップと
を更に有することを特徴とする請求項１から３のいずれか１項に記載の投稿者識別方法。
【請求項５】
投稿文とその投稿者のアカウントとを公開するブログサイトサーバと、加入者識別子を有する端末からブログサイトサーバへアクセスした多数のＵＲＬ(Uniform Resource Locator)を収集する通信事業設備装置とに、ネットワークを介して接続された識別サーバであって、
前記識別サーバは、前記加入者識別子と前記アカウントとを関連付けるものであり、
前記加入者識別子に対応付けられたＵＲＬを含むアクセス履歴情報を、前記通信事業設備装置から収集するアクセス履歴収集手段と、
当該加入者識別子に対して、前記アクセス履歴情報の中で、画像ファイル識別子を含む複数のＵＲＬを抽出する第１のＵＲＬ抽出手段と、
前記画像ファイル識別子を含む複数のＵＲＬの中で、出現回数が最も多いＵＲＬを選択し、そのＵＲＬに含まれる画像ファイル識別子を抽出する第２のＵＲＬ抽出手段と、
前記ブログサイトサーバから、前記画像ファイル識別子に対応する画像を含むページを検索し、そのページのアカウントを取得するアカウント取得手段と、
抽出された前記アカウントと、そのＵＲＬへアクセスした当該端末の加入者識別子とを関連付けるアカウント関連付け手段と
を有することを特徴とする識別サーバ。
【請求項６】
前記画像ファイル識別子は、前記ブログサイトサーバのユーザページにおける各ユーザを特定するアイコン画像に付与されたものであることを特徴とする請求項５に記載の識別サーバ。
【請求項７】
前記ブログサイトサーバは、twitter（登録商標）のようなミニブログサイトサーバ、又は、ＳＮＳサーバであることを特徴とする請求項５又は６に記載の識別サーバ。
【請求項８】
前記ブログサイトサーバから前記アカウントに基づく投稿文を収集する投稿文収集手段と、
収集された前記投稿文は、前記アカウントに関連付けられた当該加入者識別子に基づくユーザによって投稿されたものであると関連付ける投稿文関連付け手段と
を更に有することを特徴とする請求項５から７のいずれか１項に記載の識別サーバ。
【請求項９】
投稿文とその投稿者のアカウントとを公開するブログサイトサーバと、加入者識別子を有する端末からブログサイトサーバへアクセスした多数のＵＲＬ(Uniform Resource Locator)を収集する通信事業設備装置とに、ネットワークを介して接続された識別サーバに搭載されたコンピュータを機能させるプログラムであって、
前記識別サーバは、前記加入者識別子と前記アカウントとを関連付けるものであり、
前記加入者識別子に対応付けられたＵＲＬを含むアクセス履歴情報を、前記通信事業設備装置から収集するアクセス履歴収集手段と、
当該加入者識別子に対して、前記アクセス履歴情報の中で、画像ファイル識別子を含む複数のＵＲＬを抽出する第１のＵＲＬ抽出手段と、
前記画像ファイル識別子を含む複数のＵＲＬの中で、出現回数が最も多いＵＲＬを選択し、そのＵＲＬに含まれる画像ファイル識別子を抽出する第２のＵＲＬ抽出手段と、
前記ブログサイトサーバから、前記画像ファイル識別子に対応する画像を含むページを検索し、そのページのアカウントを取得するアカウント取得手段と、
抽出された前記アカウントと、そのＵＲＬへアクセスした当該端末の加入者識別子とを関連付けるアカウント関連付け手段と
してコンピュータを機能させることを特徴とする識別サーバ用のプログラム。
【発明の詳細な説明】
【技術分野】
【０００１】
本発明は、ユーザ操作に基づく端末と、そのユーザの投稿文を公開するブログサイトサーバとが、ネットワークを介して接続されたシステムの技術に関する。
【背景技術】
【０００２】
端末からサーバへのアクセス履歴情報を取得することによって、当該端末を操作するユーザの興味の動向を知ることでき、マーケティング活動に役立てることができる。特に、ユーザ毎に、最適な広告情報やレコメンド情報を提供することができる。
【０００３】
従来、ＣＧＩ(Common Gateway Interface)を提供するＷｅｂサーバは、クライアント端末で起動するＷｅｂブラウザからの要求に基づいて、アクセス履歴情報を蓄積することができる。しかしながら、この技術によれば、ページにアクセスする端末を特定することまではできず、その端末を操作するユーザを特定することもできない。
【０００４】
これに対し、情報蓄積サイトサーバと予め契約した端末について、その端末のアクセス履歴情報を自動的に情報蓄積サイトサーバが収集し管理する技術がある（例えば特許文献１参照）。また、端末から様々な媒体への異なるアクセス履歴情報を、所定条件に基づいて一括管理する技術もある（例えば特許文献２参照）。
【０００５】
一方で、近年、インターネットを介して、ブログ(Web log)やミニブログ(mini Web log)（例えばtwitter（登録商標））のようなサイトに対して、不特定多数の第三者からの投稿文が、活発に発信されている。これらの投稿文には、ユーザの感情表現や消費動向が現れ始めており、大量の投稿文に対する分析が注目されている。これら投稿文には、ユーザを特定するアカウントが付与されており、ユーザの固有性が確保されている。但し、そのユーザのプロファイルは取得できるものの、そのユーザ自身を特定することまではできない。
【０００６】
また、ブログサイトに対して投稿文を送信する端末は、パーソナルコンピュータに限られず、携帯電話機やスマートフォンであってもよい。このような携帯端末は、例えば携帯電話網のような広域通信事業者網を介して、ブログサイトサーバと通信することができる。このように、広域通信事業者網に接続する端末には、そのユーザを特定するユーザ識別子（ＩＤ：IDentifier）が付与されている。
【先行技術文献】
【特許文献】
【０００７】
【特許文献１】特開２００１−３４４１９６号公報
【特許文献２】特開２００５−０２５６１７号公報
【発明の概要】
【発明が解決しようとする課題】
【０００８】
通信事業者としては、端末からブログサイトサーバへ投稿文を送信したユーザを、特定したいとする要求もある。通信事業者は、端末の加入者ＩＤを取得すると共に、その投稿文の内容を分析することによって、そのユーザが所望するサービスを、そのユーザのみに直接的に提供することができる。
【０００９】
一般に、端末からブログサイトサーバへアクセスするＵＲＬ(Uniform Resource Locator)には、ユーザのアカウントが含まれる。しかしながら、その通信内容を秘匿するべく、ユーザ情報及びアクセス内容を指定する情報部分は、一般的に暗号化されている。そのために、アクセス履歴のＵＲＬから、ブログサイトサーバにおけるアカウントやアクセスページを知ることはできない。また、ブログサイトサーバへアクセスするアプリケーションによっては、ＵＲＬの表現記述が異なり、全てのブログサイトサーバのＵＲＬの記述が一意に表現されることはない。
【００１０】
結果として、通信事業者としては、端末の加入者ＩＤと、ブログサイトサーバへアクセスしたＵＲＬとは取得できるが、そのブログサイトサーバにおけるユーザのアカウントやアクセスページを特定することまではできない。即ち、通信事業者であっても、ブログサイトサーバにおける投稿文の分析結果と、端末からのアクセス履歴情報とを関連付けることはできない。
【００１１】
そこで、本発明は、ブログサイトサーバに投稿された投稿文と、ユーザ操作に基づく端末からのアクセス履歴に基づく加入者識別子とを関連付ける（同定する）ことができる投稿者識別方法、サーバ及びプログラムを提供することを目的とする。
【課題を解決するための手段】
【００１２】
本発明によれば、投稿文とその投稿者のアカウントとを公開するブログサイトサーバと、加入者識別子を有する端末からブログサイトサーバへアクセスした多数のＵＲＬを収集する通信事業設備装置とを有するシステムにおける投稿者識別方法であって、
システムは、加入者識別子とアカウントとを関連付ける識別サーバを更に有し、
識別サーバが、
加入者識別子に対応付けられたＵＲＬを含むアクセス履歴情報を、通信事業設備装置から収集する第１のステップと、
アクセス履歴情報の中で、画像ファイル識別子を含む複数のＵＲＬを抽出する第２のステップと、
画像ファイル識別子を含む複数のＵＲＬの中で、出現回数が最も多いＵＲＬを選択し、そのＵＲＬに含まれる画像ファイル識別子を抽出する第３のステップと、
ブログサイトサーバから、画像ファイル識別子に対応する画像を含むページを検索し、そのページのアカウントを取得する第４のステップと、
抽出されたアカウントと、そのＵＲＬへアクセスした当該端末の加入者識別子とを関連付ける第５のステップと
を有することを特徴とする。
【００１３】
本発明の投稿者識別方法における他の実施形態によれば、画像ファイル識別子は、ブログサイトサーバのページにおける各ユーザを特定するアイコン画像に付与されたものであってもよい。
【００１４】
本発明の投稿者識別方法における他の実施形態によれば、ブログサイトサーバは、twitter（登録商標）のようなミニブログサイトサーバ、又は、ＳＮＳ(Social Networking Service)サーバであってもよい。
【００１５】
本発明の投稿者識別方法における他の実施形態によれば、識別サーバが、
ブログサイトサーバからアカウントに基づく投稿文を収集する第６のステップと、
収集された投稿文は、アカウントに関連付けられた当該加入者識別子に基づくユーザによって投稿されたものであると関連付ける第７のステップと
を更に有するものであってもよい。
【００１６】
本発明によれば、投稿文とその投稿者のアカウントとを公開するブログサイトサーバと、加入者識別子を有する端末からブログサイトサーバへアクセスした多数のＵＲＬを収集する通信事業設備装置とに、ネットワークを介して接続された識別サーバであって、
識別サーバは、加入者識別子とアカウントとを関連付けるものであり、
加入者識別子に対応付けられたＵＲＬを含むアクセス履歴情報を、通信事業設備装置から収集するアクセス履歴収集手段と、
アクセス履歴情報の中で、画像ファイル識別子を含む複数のＵＲＬを抽出する第１のＵＲＬ抽出手段と、
画像ファイル識別子を含む複数のＵＲＬの中で、出現回数が最も多いＵＲＬを選択し、そのＵＲＬに含まれる画像ファイル識別子を抽出する第２のＵＲＬ抽出手段と、
ブログサイトサーバから、画像ファイル識別子に対応する画像を含むページを検索し、そのページのアカウントを取得するアカウント取得手段と、
抽出されたアカウントと、そのＵＲＬへアクセスした当該端末の加入者識別子とを関連付けるアカウント関連付け手段と
を有することを特徴とする。
【００１７】
本発明の識別サーバにおける他の実施形態によれば、画像ファイル識別子は、ブログサイトサーバのユーザページにおける各ユーザを特定するアイコン画像に付与されたものであってもよい。
【００１８】
本発明の識別サーバにおける他の実施形態によれば、ブログサイトサーバは、twitter（登録商標）のようなミニブログサイトサーバ、又は、ＳＮＳサーバであってもよい。
【００１９】
本発明の識別サーバにおける他の実施形態によれば、
ブログサイトサーバからアカウントに基づく投稿文を収集する投稿文収集手段と、
収集された投稿文は、アカウントに関連付けられた当該加入者識別子に基づくユーザによって投稿されたものであると関連付ける投稿文関連付け手段と
を更に有するものであってもよい。
【００２０】
本発明によれば、投稿文とその投稿者のアカウントとを公開するブログサイトサーバと、加入者識別子を有する端末からブログサイトサーバへアクセスした多数のＵＲＬを収集する通信事業設備装置とに、ネットワークを介して接続された識別サーバに搭載されたコンピュータを機能させるプログラムであって、
識別サーバは、加入者識別子とアカウントとを関連付けるものであり、
加入者識別子に対応付けられたＵＲＬを含むアクセス履歴情報を、通信事業設備装置から収集するアクセス履歴収集手段と、
アクセス履歴情報の中で、画像ファイル識別子を含む複数のＵＲＬを抽出する第１のＵＲＬ抽出手段と、
画像ファイル識別子を含む複数のＵＲＬの中で、出現回数が最も多いＵＲＬを選択し、そのＵＲＬに含まれる画像ファイル識別子を抽出する第２のＵＲＬ抽出手段と、
ブログサイトサーバから、画像ファイル識別子に対応する画像を含むページを検索し、そのページのアカウントを取得するアカウント取得手段と、
抽出されたアカウントと、そのＵＲＬへアクセスした当該端末の加入者識別子とを関連付けるアカウント関連付け手段と
してコンピュータを機能させることを特徴とする。
【発明の効果】
【００２１】
本発明の投稿者識別方法、サーバ及びプログラムによれば、ブログサイトサーバに投稿された投稿文（定性的データ）と、ユーザ操作に基づく端末からのアクセス履歴（定量的データ）に基づく加入者識別子とを関連付けることができる。投稿文の内容を分析することによって、その加入者ＩＤに基づくユーザが所望するサービスを、そのユーザのみに直接的に提供することができる。
【図面の簡単な説明】
【００２２】
【図１】本発明におけるシステム構成図である。
【図２】本発明におけるシーケンス図である。
【図３】本発明におけるアクセス履歴情報である。
【図４】ミニブログの第１のタイムラインを表す説明図である。
【図５】ミニブログの第２のタイムラインを表す説明図である。
【図６】本発明における機能構成図である。
【発明を実施するための形態】
【００２３】
以下、本発明の実施の形態について、図面を用いて詳細に説明する。
【００２４】
図１は、本発明におけるシステム構成図である。
【００２５】
図１のシステムによれば、端末２は、通信事業者網に接続し、インターネットを介して、ブログサイトサーバ３と通信することができる。端末２は、ユーザによって操作される例えば携帯電話機、スマートフォン又はパーソナルコンピュータであってもよい。ここで、各端末２は、通信事業者網に接続するための加入者識別子（ＩＤ：IDentifier）を有する。
【００２６】
また、通信事業者網には、通信事業設備装置４が配置されている。通信事業設備装置４は、端末２からブログサイトサーバへアクセスした多数のＵＲＬを収集する。また、通信事業設備装置４は、各端末２からの接続を、加入者ＩＤによって認識する。これによって、通信事業設備装置４は、端末２の加入者ＩＤと、アクセスされたＵＲＬとを対応付けた「アクセス履歴情報」を収集する。
【００２７】
ブログサイトサーバ３は、twitter（登録商標）のようなミニブログサイトサーバ、又は、ＳＮＳサーバである。ブログサイトサーバ３は、不特定多数の第三者からの投稿文を受信し、投稿文とその投稿者のアカウントとを公開する。投稿文には、投稿者を識別するアカウントが付与される。ブログサイトサーバ３は、ＡＰＩ(Application Programming Interface)を公開しており、様々なサービスを提供する。
【００２８】
端末２は、ユーザ操作に基づいて、通信事業者網及びインターネットを介して、ブログサイトサーバ３のブログサイトを閲覧することができる。また、端末２は、ユーザ操作に基づく投稿文を、ブログサイトサーバ３へ送信することが。その投稿文は、ブログサイトサーバ３によって公開される。
【００２９】
図１のシステムによれば、識別サーバ１が、インターネットに更に接続されている。識別サーバ１は、ブログサイトサーバ３に送信されたユーザの投稿文と、その文を投稿したユーザの加入者ＩＤと関連付けるものである。識別サーバ１は、通信事業者網に接続された通信事業設備装置４から、インターネットを介して、アクセス履歴情報を受信する。また、識別サーバ１は、ブログサイトサーバ３とインターネットを介して通信することができる。
【００３０】
図２は、本発明におけるシーケンス図である。
【００３１】
（Ｓ２０１）端末２は、ユーザ操作に基づいて通信事業者網に接続する。これによって、通信事業設備装置４は、その端末２の加入者ＩＤを取得する。また、端末２は、ユーザ操作に基づいて、ブログサイトサーバ３のＵＲＬを指定してアクセスする。これによって、通信事業設備装置４は、端末２の加入者ＩＤに対応付けて、当該端末２からアクセスされるＵＲＬを、アクセス履歴情報として蓄積する。
【００３２】
端末２が、ブログサイトサーバ３へ、ユーザ操作に基づく投稿文を送信する場合、その投稿文には、そのユーザのアカウントも付与される。ここで、通信事業設備装置４によって取得できるＵＲＬについて、ユーザ情報に係る情報部分は、一般的に、その通信内容を秘匿するべく暗号化されている。そのために、ＵＲＬから、ブログサイトサーバ３におけるユーザのアカウントを取得することはできない。
【００３３】
一方で、ブログサイトサーバ３がtwitterサーバである場合、当該ユーザ自身のユーザページは、ページを遷移をした際に常に上部に表示される。即ち、ユーザ自身が意識することなく、自らのユーザページにアクセスする回数が、他のページにアクセスする回数よりも多くなる。また、そのユーザページには、そのユーザのアカウントと、ユーザ自ら作成した固有のアイコン画像とが表示される。即ち、多くの投稿文を送信している端末２は、自らのユーザページに付加された情報、例えば自らを特定する画像に基づく画像ファイルＩＤにアクセスする回数が、多くなる。本発明は、端末からのアクセスに基づくこのような特性を利用したものである。
【００３４】
例えばテキスト情報を連続的に発信する第三者がタイムラインに存在する場合、そのタイムラインは、その第三者のテキスト情報で埋め尽くされてしまう。この事例としては、例えば現実社会で生じてる状況を、中継者としての第三者が、リアルタイムにテキスト情報を発信するような場合がある。即ち、このような情報発信は、従来の通信や放送とは異なるものである。このような場合であっても、ユーザ自身のアカウント及びアイコンを含むユーザページは、ページが遷移された際であっても、常に上部（上の方の位置）に表示される。従って、ユーザ自身が意識することなく、自らのユーザページにアクセスする回数が、他のページにアクセスする回数よりも多くなる。
【００３５】
図３は、本発明におけるアクセス履歴情報である。
【００３６】
図３のアクセス履歴情報によれば、加入者ＩＤ「12345678」のユーザが、「12時00分05秒」〜「12時05分32秒」までにアクセスしたＵＲＬが表されている。このＵＲＬからの明らかなとおり、ユーザ情報の部分は暗号化されている。また、末尾には、例えば「/98765432/photo.gif」のように画像ファイルＩＤが見える。
【００３７】
図４は、ミニブログの第１のタイムラインを表す説明図である。
【００３８】
図４によれば、加入者ＩＤ「12345678」のユーザが、「12時00分」にアクセスしたＵＲＬのみが表されている。また、このときのミニブログのタイムラインも表されている。例えばtwitterの場合、アイコン画像と共に、投稿文が表示されている。ここでは、画像ファイルＩＤを含む４つのＵＲＬのタイムラインが表示されている。
http://twimobile.jp/img/・・・/98765432/photo.gif
http://twimobile.jp/img/・・・/13579246/shasin.gif
http://twimobile.jp/img/・・・/24680135/kaokao.gif
http://twimobile.jp/img/・・・/97531864/face.gif
【００３９】
図５は、ミニブログの第２のタイムラインを表す説明図である。
【００４０】
図５によれば、加入者ＩＤ「12345678」のユーザが、「12時05分」にアクセスしたＵＲＬのみが表されている。このときのミニブログのタイムラインが表されている。
http://twimobile.jp/img/・・・/98765432/photo.gif
http://twimobile.jp/img/・・・/75319864/photograph.gif
http://twimobile.jp/img/・・・/55330088/photo.gif
http://twimobile.jp/img/・・・/86420975/myicon.gif
【００４１】
（Ｓ２０２）識別サーバ１は、加入者ＩＤに対応付けられたＵＲＬを含むアクセス履歴情報を、通信事業設備装置４から収集する。
【００４２】
（Ｓ２０３）識別サーバ１は、当該加入者ＩＤに対して、アクセス履歴情報の中で、画像ファイル識別子（ＩＤ）を含む複数のＵＲＬを抽出する。ここで、例えばtwitterサーバにおける画像ファイルＩＤは、通常、ページに表示された各ユーザを特定するアイコン画像に付与されたものである。ここで、アイコン画像は、ユーザによって貼り付けて設定されるものであるので、固有性を有する。また、そのアイコン画像に付与される画像ファイルＩＤも、そのブログサイトサーバでは固有性を有する。
【００４３】
（Ｓ２０４）次に、識別サーバ１は、当該加入者ＩＤに対して、画像ファイルＩＤを含む多数のＵＲＬの中で、出現回数が最も多いＵＲＬを選択する。即ち、当該加入者ＩＤのユーザが、最も多くアクセスしてＵＲＬを選択する。そのＵＲＬは、当該加入者ＩＤのユーザのページであると推定される。そして、そのＵＲＬに含まれる画像ファイルＩＤを抽出する。その画像ファイルＩＤに基づく画像は、ユーザのアイコン画像であると推定される。
【００４４】
ここで、図４及び図５によれば、加入者ＩＤ「12345678」のユーザによってアクセスされたＵＲＬの中で、画像ファイルＩＤ「/98765432/photo.gif」を含むＵＲＬの出現回数が最も多いことが理解できる。
【００４５】
尚、Ｓ２０４によれば、出現回数が最も多いＵＲＬが選択されるが、適切な比較的長期間で、出現回数をリセットすることも好ましい。ユーザのアイコン画像やアカウントは、可変される場合もあるからである。
【００４６】
（Ｓ２０５）識別サーバ１は、ブログサイトサーバ３へ、画像ファイルＩＤに対応する画像を含むユーザページを検索するための要求メッセージを送信する。図５によれば、画像ファイルＩＤ「/98765432/photo.gif」を含むページが検索される。
【００４７】
（Ｓ２０６）これに対し、ブログサイトサーバ３は、画像ファイルＩＤに対応する画像を含むユーザページを含む応答メッセージを返信する。そのユーザページには、ユーザのアカウントが含まれる。図５によれば、画像ファイルＩＤ「/98765432/photo.gif」を含むページについて、アカウント「Minamo」が含まれている。
【００４８】
（Ｓ２０７）識別サーバ１は、Ｓ２０４における当該加入者ＩＤと、Ｓ２０６で抽出したアカウントとを関連付けることができる。即ち、加入者ＩＤに基づくユーザは、ブログサイトにおけるそのアカウントであると推定することができる。図５によれば、加入者ＩＤ「12345678」と、アカウント「Minamo」とが関連付けられる。
【００４９】
（Ｓ２０８）また、識別サーバ１は、そのアカウントに基づく投稿文を取得するべく、投稿文を検索するめの要求メッセージを、ブログサイトサーバ３へ送信する。
【００５０】
（Ｓ２０９）これに対し、ブログサイトサーバ３は、そのアカウントに基づく投稿文を、識別サーバ１へ返信する。
【００５１】
（Ｓ２１０）これによって、識別サーバ１は、取得した投稿文を、そのアカウントに関連付けられた加入者ＩＤと関連付けることができる。即ち、ブログサイトにおけるその投稿文は、加入者ＩＤに基づくユーザによって投稿されたものであると推定することができる。
【００５２】
尚、アクセス履歴情報に含まれる別の加入者ＩＤについて、アカウントと関連付ける場合、更にＳ２０４〜Ｓ２１１を繰り返すことによって実現される。
【００５３】
図６は、本発明における識別サーバの機能構成図である。
【００５４】
図６によれば、識別サーバ１は、インターネットに接続する通信インタフェース部１０と、アクセス履歴収集部１１と、第１のＵＲＬ抽出部１２と、第２のＵＲＬ抽出部１３と、アカウント取得部１４と、アカウント関連付け部１５と、投稿文検索部１６と、投稿文関連付け部１７とを有する。通信インタフェース部１０を除くこれら機能構成部は、サーバに搭載されたコンピュータを機能させるプログラムを実行することによって実現されるものであってもよい。
【００５５】
アクセス履歴収集部１１は、通信インタフェース部１０を介して、加入者ＩＤに対応付けられたＵＲＬを含むアクセス履歴情報を、通信事業設備装置４から収集する。収集したアクセス履歴情報は、第１のＵＲＬ抽出部１２へ出力される。
【００５６】
第１のＵＲＬ抽出部１２は、入力したアクセス履歴情報の中で、画像ファイルＩＤを含む複数のＵＲＬを抽出する。抽出されたＵＲＬは、第２のＵＲＬ抽出部１３へ出力される。
【００５７】
第２のＵＲＬ抽出部１３は、当該加入者ＩＤについて、画像ファイルＩＤを含む複数のＵＲＬの中で、出現回数が最も多いＵＲＬを選択する。このＵＲＬは、当該加入者ＩＤに基づくユーザのページであると推定する。そして、そのＵＲＬに含まれる画像ファイルＩＤを抽出す。その画像ファイルＩＤに基づく画像は、ユーザのアイコン画像であると推定する。抽出された画像ファイルＩＤは、アカウント取得部１４へ出力される。
【００５８】
アカウント取得部１４は、通信インタフェース部１０を介して、ブログサイトサーバ３へ、画像ファイルＩＤに対応する画像を含むページを検索する要求メッセージを送信する。そして、ブログサイトサーバ３から、そのページのアカウントを取得する。取得したアカウントは、アカウント関連付け部１５へ出力される。
【００５９】
アカウント関連付け部１５は、入力されたアカウントと、そのＵＲＬへアクセスした当該端末の加入者ＩＤとを関連付ける。関連付けられた加入者ＩＤ及びアカウントの組は、投稿文検索部１６へ出力される。
【００６０】
投稿文検索部１６は、通信インタフェース部１０を介して、ブログサイトサーバ３からアカウントに基づく投稿文を収集する。収集された投稿文は、投稿文関連付け部１７へ出力される。
【００６１】
投稿文関連付け部１７は、収集された投稿文は、アカウントに関連付けられた当該加入者ＩＤに基づくユーザによって投稿されたものであると関連付ける。
【００６２】
以上、詳細に説明したように、本発明の投稿者識別方法、サーバ及びプログラムによれば、ブログサイトサーバに投稿された投稿文（定性的データ）と、ユーザ操作に基づく端末からのアクセス履歴（定量的データ）に基づく加入者識別子とを関連付けることができる。投稿文の内容を分析することによって、その加入者ＩＤに基づくユーザが所望するサービスを、そのユーザのみに直接的に提供することができる。
【００６３】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６４】
１  識別サーバ
１０  通信インタフェース部
１１  アクセス履歴収集部
１２  第１のＵＲＬ抽出部
１３  第２のＵＲＬ抽出部
１４  アカウント取得部
１５  アカウント関連付け部
１６  投稿文検索部
１７  投稿文関連付け部
２  端末
３  ブログサイトサーバ
４  通信事業設備装置
【図１】
0005509131.tif 000002
【図２】
0005509131.tif 000003
【図３】
0005509131.tif 000004
【図４】
0005509131.tif 000005
【図５】
0005509131.tif 000006
【図６】
0005509131.tif 000007